(57)【要約】      （修正有）【課題】封緘材として本来の目的と機能を果たしつつ高級感、手加工感が有り且つ、安定した仕上がりで手軽に瓶詰ライン対応可能な封緘具の提供【解決手段】あらかじめ表示紙２と熱収縮フィルム１とに部分的塗布した感熱接着剤２１により、一体化加工を予備成型加工時に包装材メーカー内で施し、この一体化封緘具を瓶詰メーカーで瓶口部に装着、熱収縮加工で封緘処理を行う。【選択図】図１
2016218233.tif 000002
【特許請求の範囲】
【請求項１】
接着部が部分的に塗布された表示紙と熱収縮性フィルムとを、瓶口に被せ易くするため、瓶口の形状より少し大きめの封緘の形状を作るための、金属の予備成形金型上にセットし、熱収縮工程で貼り合わし、表示紙と熱収縮性フィルムを一体化した封緘具。
【請求項２】
表示紙は、紙、不織布又はプラスチックからなり、上部天面の折れ曲がり部の下に、左右２か所以上の切り落とし部を備えたことを特徴とする請求項１記載の封緘具。
【請求項３】
表示紙と熱収縮フィルムの各々に、開封を容易とする目的のミシン目が施されたことを特徴とする請求項１または請求項２に記載の封緘具。
【請求項４】
請求項１から請求項３の何れか１項に記載の封緘具を用いて瓶の口部を封緘されたことを特徴とする瓶製品。
【発明の詳細な説明】
【技術分野】
【０００１】
本発明は表示用紙素材と熱収縮製フィルムを部分接着し、一体化した封緘具に関する。  
【背景技術】
【０００２】
古来より有った、瓶等に封により密封処理を施し中身の未開封性を表す封緘方法は、今日、熱収縮性プラスチックを材料とする収縮キャップシール品が一般的に成って居る。PVC,PP,PS,PET等の横収縮性プラスチック素材を用い、表示には表面及び裏面から印刷を行っている。その際利用されるグラビア等の印刷方法は細かな表現性、連続生産性に優れ普及しているが、一方で工業的で手作り感や独自性に欠ける点も指摘さている。熱収縮性樹脂フィルムに「封緘乃証」的な証紙風の印刷を施した物も有るが、瓶への収縮処理時に文字がゆがむ等で封緘材として高級感を出し得ていない。加飾性を高める目的で横収縮性フィルム自身に蒸着加工を行った場合、収縮時に白化現象を起し輝きが無くなる事で、アルミ箔やアルミ蒸着フィルムや、不織布等とのフィルム同士を全面で張り合わせ高級感を出す手法が封緘材用途に使用されているが、これは薄肉の収縮しない素材と熱収縮するフィルム素材を張り合わせ方法で、それを基材としてチューブ加工しキャップシールとして使用している。これは基材が収縮時に、非収縮材面に縦方向に発生する皺を利用して有る種の高級感を演出する手法である。
【０００３】
また、一部の高級日本酒、焼酎、嗜好品等の封緘方法に、昔ながらの雰囲気を出すために、紙素材を用いて証紙的な表現の封緘方法も用いられている。それらは、瓶詰後のキャップ部に紙や粘着ラベルを活用して、逆U字型の貼り方で封緘作業を行っているものや、正方形の紙を折りこみ瓶口に被せて、プラスチックコートの針金や組紐等で縛った物が有る。これらの方法は手作り感も有り高級贈答用瓶詰品の封緘方法として、古来よりの温かみのある手法でも有るが一方、手間のかかる方法で、瓶口へのゴミ付着等の衛生性や、いたずら防止の観点や、瓶口を守る事の面から封緘方法として必ずしも完成度の高い方法とは言えず問題点も残る方法と云える。高級な一升瓶入り日本酒に、折り紙状の正方形の紙を多数に折り込み、瓶首に被せ組紐等で結ぶ方法は、紙の折り重なり部８か所と成り硬く、首部の紐の締めが強く食い込づらいため、消費者が店頭で紙の上から瓶首を持ち運ぶ時に脱落して割れる事故も一部に起きている。
【発明の概要】
【発明が解決しようとする課題】
【０００４】
瓶詰め商品は多くの場合、生産者は丹精込めた製品の証として、一方消費者には未開封品を開封する楽しさをもたらすものとして封緘処理加工が行われて来ているが、本発明は封緘の本来の目的、衛生性と密封性の確保の２つを達成しつつ、且つ、瓶詰品生産者の封緘作業工程に簡便さの提供を可能とすると共に、商品自身の店頭でのアイキャッチ性、商品価値の向上等々をもたらすことを課題としている。
【課題を解決するための手段】
【０００５】
本発明に証紙的な意味を成す素材として、紙もしくは不織布、合成紙材プラスチックシートから成る表示用の基材を使用し、もう一方で横収縮性PVC,PP,PS,PETもしくはそれぞれの複合素材等の樹脂製のフィルム等を主素材に使用する。これにフィルム側又は紙側に感熱接着剤を縦方向にスリット状又は点状に部分的に塗布加工し、キャップシール生産時の加熱工程で互いを部分的に張り合わせて一体化させ、これを瓶詰品生産者側の瓶詰ラインで使用する方法である。素材同士を全面で張り合わすと最終製品化の収縮工程で収縮により紙面に皺が発生し美観を損ねる為、本発明の場合、部分的な接着方法で瓶詰工程まで素材同士を一体化接着して瓶詰工程先に届け、封緘作業の簡便さを提供する事がポイントとなっている。現在も度々発生する店頭製品へのいたずら行為に対して「包装材に一般消費者には市場で容易に入手できない素材を用い、且つ容易にいたずら行為を起こさせない手法で包装を行う」と過去のこの種の対策法の事案として示されていて、一部に行われているゆっくり剥がせば剥がれるような封緘方法は適当では無く、本発明は封緘材として特殊素材の一部である熱収縮製プラスチック素材を使い、紙や不織布等との２素材を包装材生産者側で一体化する方法を取る事により封緘具としての基本機能である、いたずら防止性、瓶口の保護性、衛生性の確保を満足させ、合わせて商品に手作り感と共に高級感を与える事が可能な方法と成っている。
【発明の効果】
【０００６】
アルコール飲料等の瓶詰商品は、一部には高速ラインでの生産品も有り、その場合、封緘処理を行うには手作業では対処出来ない。本発明はハンドメード的な表現を商品に加えると共に、あらかじめ包装材生産者側で異素材同士を一旦予備成型用の金型で熱収縮加工時に接着させて、ラッパ状で積み重ね可能な裾広がりの形状に一次的な予備成型加工を施し、瓶詰メーカーに供給する事により、瓶口への被せ作業性に富んで作業が容易とり、低速、高速ラインへの対応をも可能にする熱収縮性フィルムと、表示紙が接着一体化された封緘具となる。
【０００７】
本発明の封緘材は日本酒、焼酎、ワイン等々のアルコール飲料や嗜好品食品分野のジャム、果汁飲料、調味料等々のボトル形状品に最適なもので、素材の熱収縮性フィルムの収縮密着性と、帯状の紙、不織布、合成紙等の証紙機能の表示紙の一体化品は、証紙感覚の外観からもたらされる古風なイメージと共にシュリンク材で口栓部全体を包み込み、ラフに包んでタイトに仕上がり、ミシン目部分を活用して、破らないと開封出来ない封緘機能材との２素材が一体化され、瓶口部の保護と同時に、封緘の最大目的でもあるいたずら防止にも効果的な方法と成り、封緘作業の合理化、商品高級化に寄与するものと成る。
【０００８】
本発明に使用する表示紙部は生産者自身が丹精込めた商品への思い入れを表現する意味から、直接手で書いたものから、印刷により大量に作る物まで幅広い表示、表現方法に対応を必要とするものであるが、紙印刷は一般的にプラスチック印刷のそれと違い、製版代も安価で、アルミ箔押し加工やその他、表現方法も多様化でまた、小ロットにも対応可能であり、今日流行の地産地消商品への利用にも便利な方法と成って来る。また本発明の封緘材は上部天面と側面に表示部が有り、天面・側面への加飾が可能と成って居て、従来の側面のみ加飾の封緘材の帯状封緘材と異なり、一段と瓶詰商品の価値向上に差別化を与えるものとなる。更にストレートにカットした表示紙だけでなく側面や下部の形状に曲線等の変化を持たせた形状や、十文字状や星形に異形の抜き刃での加工方法は、カットした多方向の側面へ表示部の有る表示紙案も本発明の対象となる。
【０００９】
一般的に使用されている封緘用キャップシールは、横収縮性チューブもしくは横収縮性フィルムをチューブ状に貼り合わせた物を使用しそれに、表示印刷やミシン目加工を施す。この材料を瓶詰生産者が瓶に被せ易い様に包装材生産者側で前もって瓶形より大きめの予備成型用金型に装着して加熱収縮させ拡がりのある筒状の予備成型加工を行い、これを積み重ねて瓶詰生産者側に供給している。本発明はこの生産工程の予備成型用金型を活用し、加熱収縮時にスリット状又は点状に施された感熱接着剤で表示紙と熱収縮性フィルムとを図（ｆ）の形状に一体化させる。従って従来のキャップシール生産工程に表示紙を装填する１工程が加わるのみで本発明品は完成させることが可能となる。
【００１０】
本発明は何がどれくらい消費されるのか不明確な昨今の世情に合わせ、製品製造の包装材メーカー側も、使用する瓶詰メーカー側も小ロット生産から、高速ラインでの生産まで、少ないライン手直しで対応できることが特徴と成って居る。又、瓶詰生産者側で瓶に装着された本封緘材は、熱収縮フィルム部にライン上で流れ方向で両側面より集中的に加熱収縮させるが、部分的な接着方法であるため、表示証紙部にゆがみ等の影響も少なく美しい状態が瓶詰生産者の従来同様生産工程で瓶詰商品の仕上げが可能となる。
【図面の簡単な説明】
【００１１】
【図１】一体化封緘具生産工程図（a）熱収縮性フィルム（b）表示紙（c）表示紙折りこみ図（d）予備成型用金型（e）被せ加工図（f）一体化封緘具（g）本発明の封緘具を用いて封緘した瓶製品最終形態図
【図２】一体化封緘具断面図（a）シュリンクチューブ外付け案      （b）シュリンクチューブ内付け案
【図３】表示紙別案図
【発明を実施するための形態】
【００１２】
図１に本発明の表示紙と熱収縮フィルムで作る一体化封緘具生産工程図を示す。
(a)は、熱収縮性フィルム示す。熱収縮性フィルム１には開封用ミシン目１１が施されている。
(b)は、表示紙を示す。表示紙は、スリット状の接着剤部２１と天面折曲り部に皺が発生しないように切落し部２２を設け、開封後に切り離しが出来る様、表示紙ミシン目２３、とキャップ天面に沿うように天面部２４が施されている。
(c)は、（ｂ）の表示紙を２つに折り込んだ状態である。
(d)は、瓶口に被せ易くするため、瓶口の形状より少し大きめの封緘の形状を作るための、金属の予備成型用金型３で、対象瓶首より大きめに設計されコップを逆さまにした逆テーパー形状である。
（ｅ）は、予備成型用金型３に、（ｃ）の２つに折り込んだ表示紙２を被せ、さらに、その上から、（ａ）の熱収縮性フィルム１を被せた状態を示す。
(f)は、本発明の一体化した封緘具４を示す。（ｅ）の状態で、側面より収縮用の熱を掛けて、瓶首と同形状の筒状と成る様に予備成型を行ってできた一体化した封緘具である。表示紙２と熱収縮性フィルム１が、表示紙２の接着剤部２１で接着され一体化されている。
(g)は、瓶の口部を本発明の封緘具を用いて封緘した瓶製品最終形態図である。一体化した封緘具４を瓶５に被せ、熱収縮させたものである。
【００１３】
本発明の封緘具は、熱収縮性フィルム１と表示紙２を作業性と仕上がり性の目的より、接着一体化が施されるが、スリット状の接着材部２１は全面ではなく細い巾又は点状に部分的に接着を塗布している。表示紙はストレート状の切りっぱなしの素材でも良いが、帯状からなる紙は使用する瓶口栓の天円形部と瓶口で下方に直角に折れ込むことより、表示部の紙幅が広い場合は折れ目の両端に皺が発生する。その皺の防止目的より、天面部２４の左右に折曲り部下に４か所に切落し部２２の加工を行う方法を取るが、収縮フィルム装填時の角部引掛り防止とその容易性を高める効果にも繋がる。また、瓶製品の重要な場所に施す表示紙２は当然細幅のストレートの表示紙や異形の表示用証紙の形態でも良く、瓶に装着収縮加工後にシュリンクフィルム下部に表示紙がはみ出す形状も可能とする手法としている。（ｂ）に示すように、表示紙２の部分的に施された接着剤部２１が収縮時の熱で熱収縮性フィルム１と接着し一体化される為、輸送時や、瓶に収縮させる時剥がれたりしない事が本発明の目的であり特徴である。
【００１４】
図２では、封緘具において表示紙と熱収縮性フィルムの内外の関係で分けた２つの形態の断面図を示す。
（ａ）は、表示紙２が熱収縮性フィルム１の内側にある場合で、接着剤部２１は表示紙の外側に備える。
（ｂ）は、表示紙２が熱収縮性フィルム１の外側にある場合、接着剤部２１は表示紙の内側に備える。
【００１５】
図３は、表示紙の別案である。表示紙２が十文字状や星形や異形の抜き刃での加工した事を特徴とされたもので、瓶首の前後２側面のみならず多側面方向に表示部を表せるようにカット加工した形状で、外面より装着される熱収縮フィルムと一体化の為に図１（ｂ）と同様に接着材部２１と瓶との密着性の目的より切り落とし部２２を有している。
【産業上の利用可能性】
【００１６】
本発明は瓶詰め商品の手作り感、高級感付与の要求に対応しつつ且つ、店頭での埃付着防止効果や、いたずら防止目的の瓶口保護の封緘具目的に対応して、瓶詰生産ラインの簡便化、高速化にも対応できる様に一旦包材メーカー側の金型上で２種の異素材が加熱接着で一体化され、客先充填ラインで瓶への作業がし易い様に筒状に加工された事を特徴とする簡便で、機能的な封緘具の提供に有る。
【符号の説明】
【００１７】
１    熱収縮性フィルム
１１  開封用ミシン目
２    表示紙
２１  接着剤部
２２  切落し部
２３  表示紙ミシン目
２４  天面部
３    予備成形金型
４    封緘具
５    瓶
【図１】
2016218233.tif 000003
【図２】
2016218233.tif 000004
【図３】
2016218233.tif 000005